(57)【特許請求の範囲】
【請求項１】
車のドアサッシュフレーム表面に粘着性テープを貼り付ける際に、ドアサッシュフレームの縦方向フレーム及び該縦方向フレームに連接する横方向フレームに粘着性テープを位置決めするための治具であって、
前記ドアサッシュフレームのコーナー部において前記ドアサッシュフレームの裏側突出部分に前記治具を保持させる保持手段と、
該保持手段と連結され、前記粘着性テープに形成された位置決め用孔に通すためのピンを備えるアームであって、前記保持手段との連結部を介して前記ドアサッシュフレームの延びる面に交叉する回転軸周りに回動自在に支持されるとともに、前記保持手段によって前記ドアサッシュフレームに前記治具を保持させた時に、前記回転軸が前記ドアサッシュフレームのコーナー部近傍外側に位置する前記アームと、
前記ドアサッシュフレームの延びる縦方向又は横方向に沿う方向で前記アームの回動を規制する規制手段と、を有し、
前記アームの前記回転軸を挟む両側方に、前記ドアサッシュフレームの縦方向又は横方向のフレームに対して粘着性テープを位置決めするための少なくとも一対の前記ピンが設けられ、
前記規制手段は、前記保持手段に設けられ、前記アームと当接することで前記アームの回動を規制するアーム当接面であることを特徴とするドアサッシュフレームの粘着性テープ位置決め治具。
【請求項２】
前記保持手段は、前記ドアサッシュフレームの裏側突出部分を挟持するためのバネクリップを備えることを特徴とする請求項１記載のドアサッシュフレームの粘着性テープ位置決め治具。
【請求項３】
前記ピンが出没可能に設けられ、該ピンを突出側に弾性付勢するための弾性部材を備えていることを特徴とする請求項１記載のドアサッシュフレームの粘着性テープ位置決め治具。
【発明の詳細な説明】
【０００１】
【発明の属する技術分野】
本発明は、自動車のドアサッシュフレームに粘着性テープを貼付ける際に使用するドアサッシュフレームの粘着性テープ位置決め治具に関する。
【０００２】
【従来の技術】
従来、自動車の各ピラー及びドアサッシュフレームに、デザイン性により黒塗り等の塗装が実施されるようになり、塗装ではマスキング等の製造工程の増加があり、また、塗装をする際に発生する大気への溶剤飛散等で環境面でも問題があった。
【０００３】
斯かる問題に鑑みて、近年では、粘着剤を塗布した塩化ビニール製の粘着性テープを貼付ける傾向にある。この粘着性テープＴは、図７に示すように、片面に接着剤層ＴＳが設けられた支持体ＴＢと、支持体ＴＢに接着された接着剤層ＴＳ上に積層した離型紙ＴＬとを有し、必要に応じて支持体ＴＢ上に透明な保護層ＴＰが積層される。支持体ＴＢには、黒その他の色彩が施されている。
【０００４】
このような粘着性テープをドアサッシュフレームに貼り付ける作業においては、ピン付きの治具をドアサッシュフレームに固定し、そのピンを粘着性テープの端部所定位置に形成した孔に通すことにより、粘着性テープの位置決めを行い、粘着性テープをドアサッシュフレームに沿って正確な位置に貼り付けるようにしていた。
【０００５】
【発明が解決しようとする課題】
しかしながら、従来では、例えば、ドアサッシュフレームの縦方向フレームと該縦方向フレームに連接する横方向フレームとに粘着性テープを貼り付ける際に、別個の治具を用いて位置決めしていたため、治具の付け替えに時間と手間がかかっていた。
【０００６】
そこで、本発明は、一つの治具によって、縦方向フレームとこれに連接する横方向フレームとに粘着性テープを位置決めし得る、ドアサッシュフレームの粘着性テープ位置決め治具を提供することを目的とする。
【０００７】
【課題を解決するための手段】
本発明の上記目的は、車のドアサッシュフレーム表面に粘着性テープを貼り付ける際に、ドアサッシュフレームの縦方向フレーム及び該縦方向フレームに連接する横方向フレームに粘着性テープを位置決めするための治具であって、前記ドアサッシュフレームのコーナー部において前記ドアサッシュフレームの裏側突出部分に前記治具を保持させる保持手段と、該保持手段と連結され、前記粘着性テープに形成された位置決め用孔に通すためのピンを備えるアームと、を有し、前記アームは、前記保持手段との連結部を介して前記ドアサッシュフレームの延びる面に交叉する回転軸周りに回動自在に支持されるとともに、前記保持手段によって前記ドアサッシュフレームに前記治具を保持させた時に、前記アームの前記回転軸が前記ドアサッシュフレームのコーナー部近傍外側に位置し、且つ、ドアサッシュフレームの延びる縦方向又は横方向に沿う方向で回動を規制する規制手段を有し、前記アームの前記回動軸を挟む両側方に、前記ドアサッシュフレームの縦方向又は横方向のフレームに対して粘着性テープを位置決めするための少なくとも一対の前記ピンが設けられていることを特徴とするドアサッシュフレームの粘着性テープ位置決め治具によって達成される。
【０００８】
前記保持手段は、前記ドアサッシュフレームの裏側突出部分を挟持するためのバネクリップを備えることが好ましい。
【０００９】
前記ピンを出没可能に設け、該ピンを突出側に弾性付勢するための弾性部材を備えることが好ましい。
【００１０】
【発明の実施の形態】
本発明に係るドアサッシュフレームの粘着テープ貼付け治具（以下、単に「治具」という。）の好ましい実施形態について以下に図面を参照して説明する。図１は本発明に係る治具の正面側から見た斜視図、図２は図１の治具をドアサッシュフレームに取り付けた状態を示す正面図、図３は図２の矢印Ａ方向から視た端面図、図４、５は図１の治具を用いて粘着性テープを位置決めする状態を示す正面図、図６は粘着性テープの平面図である。
【００１１】
自動車のドアサッシュフレーム１は、図３にその断面を示すように、ウェザーストリップ取付部等で構成される裏側突出部分１ａが形成されている。治具２は、裏側突出部分１ａを保持する保持手段３と、粘着性テープＴに形成された位置決め用孔ＴＨに通すためのピン４ａ、４ａ’が突設されたアーム４とを備えている。保持手段３とアーム４とは、連結部５によって連結されている。
【００１２】
保持手段３は、ハの字型に配置された一対の上縁保持片３ａと、上縁保持片３ａに対向配置された下縁保持片３ｂとを備えている。上縁保持片３ａは、下縁保持片３ｂと対向する側面に凹溝３ａ’が形成されいている。下縁保持片３ｂは、上縁保持片３ａと対向する側面が、前記ハの字に対応するテーパー面３ｂ’が形成されいてるとともに、鍔部３ｂ”を備えている。上縁保持片３ａ、３ａの前記ハの字の開角度、及び下縁保持片３ｂのテーパー面３ｂ’、３ｂ’の傾斜角度は、裏側突出部分１ａのコーナー部のコーナー角度に対応して形成されている。また、下縁保持片３ｂは、連結部５に固定されたフランジ５ｂ（図３参照）に支持された軸ピン５ｃに軸着され、軸ピン５ｃに外嵌された捻りバネ（図示せず）によるバネクリップ機構を有し、上縁保持片３ａとの協動により、裏側突出部分１ａを弾性的に挟持することができる。
【００１３】
アーム４は、連結部５に固定された回転軸４ｂに軸着されて、回動自在に支持されている。また、アーム４は、保持手段３によってドアサッシュフレーム１に治具２を保持させた時に、アーム４の回転軸４ｂがドアサッシュフレーム１のコーナー部近傍外側に位置し、且つ、ドアサッシュフレーム１の延びる方向（縦方向及び横方向）に沿う方向で回動を規制する規制手段を有している。
【００１４】
前記規制手段は、本例では、上縁保持片３ａによって形成することができる。即ち、アーム４が上縁保持片３ａのアーム当接面３ａ”、３ａ”に当接することで、アーム４の回転が規制されている。アーム当接面３ａ”，３ａ”は、ドアサッシュフレーム１の上縁に沿って延びている。
【００１５】
アーム４の回転軸４ｂを挟む両側方には、一対のピン４ａ、４ａ’が設けられている。ピン４ａ、４ａ’は、アーム４に摺動可能に取り付けたブロック４ｃ、４ｃ’に支持させることができる。アーム４の長手方向に摺動可能に設けられたブロック４ｃ、４ｃ’は、ボールネジ４ｄ、或いはその他のネジ機構等によって位置調節可能とされる。
【００１６】
治具２をドアサッシュフレーム１に保持させた状態において、ピン４ａ、４ａ’は、ドアサッシュフレームの表面側へ突出するが、アーム４は、ドアサッシュフレーム１の表面側へ出ないように設計されている（図３参照）。ピン４ａ、４ａ’は、連結部５に出没可能に装置し、ピン４ａ、４ａ’を突出側に弾性付勢するためのコイルバネ等の弾性部材（図示せず）をブロック４ｃ，４ｃ’内に設けても良い。
【００１７】
上記のような構成を有する治具の操作方法について、以下に説明する。
【００１８】
治具２を適用する粘着性テープＴは、従来と同様、離型紙、粘着層、支持体、及び保護フィルム（保護層）が積層された積層構造を有し、図６に示すように、粘着性テープＴの両端において、離型紙ＴＬ、粘着層ＴＳ、及び支持体ＴＢに切れ目ＴＣが形成され、保護フィルムＴＰには切れ目ＴＣが形成されていない。切れ目ＴＣを介して捨て耳部ＴＥが設けられており、捨て耳部ＴＥに位置決め用孔ＴＨが穿設されている。粘着性テープＴの幅は後述する理由のためにドアサッシュフレーム１の幅よりも少し太幅に形成されている。
【００１９】
先ず、治具２をドアサッシュフレーム１のコーナー部に保持させ、アーム４を回転させ、前記規制手段を構成するアーム当接面３ａ”の何れか一方（図４では左方）にアーム４を当接させる。アーム４を左右のアーム当接面３ａ”、３ａ”の何れに当接させるかは、ドアサッシュフレーム１のコーナー部を挟む縦方向に粘着性テープＴを先に貼るか、横方向を先にするかによる。
【００２０】
アーム４を一方のアーム当接面３ａ”に当接させた状態で、粘着性テープＴの位置決め用孔ＴＨにピン４ａを通し、切れ目ＴＣの位置から離型紙ＴＬを剥がす。離型紙ＴＬを剥がす際、粘着性テープＴとドアサッシュフレーム１との間には、少し隙間を形成するようにして、離型紙ＴＬを剥がすと粘着性テープＴが直ぐにドアサッシュフレーム１に粘着しないようにする。
【００２１】
治具２のピン４ａによって粘着性テープＴの一端は位置決めされる。粘着性テープＴの他端は図示しないが、前記一端と同じ治具２或いは、保持手段と位置決めピンとを有する他の治具を、ドアサッシュフレーム１の他端コーナー部に取り付けて、粘着性テープＴの他端に形成した位置決め用孔ＴＨに当該治具のピンを通して位置決めするか、或いは人が手で持って位置決めしてもよい。粘着性Ｔテープの他端を手で持って位置決めする場合は、捨て耳部ＴＥの上端縁をドアサッシュフレームＴの上端縁に沿わせて位置決めすることができる。
【００２２】
こうして粘着性テープＴの一端が位置決めされたら、ゴム板等で形成されたスキージ（図示せず）を、粘着性テープＴに押しつけつつ粘着性テープＴの一端から他端に向けて走らせ、ドアサッシュフレーム１に粘着性テープＴを貼り付ける。
【００２３】
横方向のドアサッシュフレーム１に粘着性テープＴを貼り付けた後、ピン４ａから捨て耳部ＴＥを外し、捨て耳部ＴＥを除去する。
【００２４】
この状態では、上述したように粘着性テープＴはドアサッシュフレーム１の幅より太幅であるから、粘着性テープＴは、ドアサッシュフレーム１の両幅方向にはみ出している。そこで、そのはみ出した部分をドアサッシュフレーム１の裏側に折り込み粘着させることで外観を良くする。
【００２５】
横方向のドアサッシュフレーム１に粘着性テープＴを貼り付けた後、アーム４を回転させて、もう一方のアーム当接面３ａ”にアーム４を当接させ、前記横方向の場合と同様に粘着性テープＴを縦方向のドアサッシュフレーム１に貼り付ける（図５参照）。
【００２６】
本発明に係る治具２は、上記の操作説明から分かるように、アーム４を回動させる構成としたことにより、粘着性テープＴ上にスキージを走らせる際に、ピン４ａ、４ａ’が、スキージの走行を妨害しない。
【００２７】
また、治具２は、一つの治具を用いて、ドアサッシュフレーム１の縦方向と横方向とに粘着性テープを貼り付けることができるため、従来のように治具を取り替える手間が減少する。
【００２８】
さらに、ピン４ａ、４ａ’を出没自在としておけば、粘着性テープＴをドアサッシュフレーム１に粘着させた後、捨て耳部ＴＥをピン４ａ、４ａ’から外し易くなる。
【００２９】
【発明の効果】
以上の説明から明らかなように本発明に係るドアサッシュフレームの粘着性テープ位置決め治具によれば、一つの治具によって、治具を付け替えることなく、縦方向フレームとこれに連接する横方向フレームとに粘着性テープを位置決めすることができる。
【図面の簡単な説明】
【図１】本発明に係る治具の一実施形態を示す正面側から視た斜視図である。
【図２】図１の治具をドアサッシュフレームに保持させた状態を示す平面図である。
【図３】図２のＡ視端面図である。
【図４】図１の治具を用いてドアサッシュフレームの縦方向フレームに粘着性テープを貼り付ける状態を示す正面図である。
【図５】図１の治具を用いてドアサッシュフレームの横方向フレームに粘着性テープを貼り付ける状態を示す正面図である。
【図６】粘着性テープの平面図である。
【図７】粘着性テープの断面図である。
【符号の説明】
１  ドアサッシュフレーム
１ａ  裏側突出部分
２  粘着性テープ位置決め治具
３  保持手段
３ａ  上縁保持片
３ｂ  下縁保持片
４  アーム
４ａ  ピン
４ｂ  回転軸
５  連結部
Ｔ  粘着性テープ
【図１】
0004596639.tif 000002
【図２】
0004596639.tif 000003
【図３】
0004596639.tif 000004
【図４】
0004596639.tif 000005
【図５】
0004596639.tif 000006
【図６】
0004596639.tif 000007
【図７】
0004596639.tif 000008